(57)【特許請求の範囲】
【請求項１】
車両の天井部に配置されたデフレクタベースに一端が回動可能なように結合し、他端がデフレクタ布と連結するデフレクタアーム、
前記デフレクタベースとデフレクタアームの間に設置され、デフレクタアームに弾性力を提供するデフレクタスプリング、および
前記デフレクタアームにヒンジピンを介して回動可能なように結合し、前端に環部が形成されるロッキングレバー、
を備え、
車両のサンルーフガラスの開放時に、前記ロッキングレバーの環部がデフレクタスプリングの端部に掛かることによってデフレクタアームの下降を防ぐことを特徴とする、サンルーフデフレクタの支持構造。
【請求項２】
一端が前記デフレクタアームに結合し、他端がロッキングレバーに結合するヒンジスプリング
をさらに備え、
前記ヒンジスプリングは、ロッキングレバーをデフレクタスプリング方向に加圧することを特徴とする、請求項１に記載のサンルーフデフレクタの支持構造。
【請求項３】
前記ロッキングレバーは、
前記ヒンジピンが貫通結合するヒンジホールを基準として後方を上側に湾曲させて湾曲部を形成し、
車両のサンルーフガラスの閉鎖時に、前記ロッキングレバーの湾曲部がサンルーフガラスと結合するコマンドシュによって押されることにより、ロッキングレバーとデフレクタスプリングの係止を解除することを特徴とする、請求項１に記載のサンルーフデフレクタの支持構造。
【請求項４】
前記デフレクタスプリングは、
前記デフレクタベースに形成された多数の結合突起に挿入されるように形成された挿入部、
前記挿入部から上側に湾曲延長した中央部、および
前記中央部から水平方向に延長し、ロッキングレバーの環部と掛かるように形成された係止部
を備えることを特徴とする、請求項１に記載のサンルーフデフレクタの支持構造。
【請求項５】
車両の天井部に配置されたデフレクタベースに一端が回動可能なように結合し、他端がデフレクタ布と連結するデフレクタアーム、
前記デフレクタベースとデフレクタアームの間に設置され、デフレクタアームに弾性力を提供するデフレクタスプリング、
前記デフレクタアームにヒンジピンを介して回動可能なように結合し、前端に環部が形成されるロッキングレバー、および
一端が前記デフレクタベースに回動可能なように結合し、他端が選択的にロッキングレバーの環部に掛かる支持レバー
を備え、
車両のサンルーフガラスの開放時に、前記ロッキングレバーの環部が支持レバーの端部に掛かることによってデフレクタアームの下降を防ぐことを特徴とする、サンルーフデフレクタの支持構造。
【請求項６】
前記支持レバーは、
前記デフレクタスプリングの端部が挿入されてスライディングできるように長さ方向に形成されたスロット
を備え、
前記デフレクタスプリングの端部がスロット上でスライディングすることによって支持レバーがロッキングレバー方向に回転することを特徴とする、請求項５に記載のサンルーフデフレクタの支持構造。
【請求項７】
一端が前記デフレクタアームに結合し、他端がロッキングレバーに結合するヒンジスプリング
をさらに備え
前記ヒンジスプリングは、ロッキングレバーを支持レバー方向に加圧することを特徴とする、請求項５に記載のサンルーフデフレクタの支持構造。
【請求項８】
前記ロッキングレバーは、
前記ヒンジピンが貫通結合するヒンジホールを基準として後方を上側に湾曲させて湾曲部を形成し、
車両のサンルーフガラスの閉鎖時に、前記ロッキングレバーの湾曲部がサンルーフガラスと結合するコマンドシュによって押されることにより、ロッキングレバーと支持レバーの係止を解除することを特徴とする、請求項５に記載のサンルーフデフレクタ支持構造。
【発明の詳細な説明】
【技術分野】
【０００１】
本発明は、車両の天井部に配置されるサンルーフデフレクタの支持構造に関し、より詳細には、デフレクタアームにヒンジピンを介して回動可能なように結合するロッキングレバーが車両のサンルーフガラスの開放時にデフレクタスプリングの端部に掛かることによってデフレクタアームの下降を防ぐことを特徴とする、サンルーフデフレクタの支持構造に関する。
【背景技術】
【０００２】
車両のルーフパネル上には、車両内部の空気を外部に排出させたり外部の空気を車両内部に流入させたりするために、サンルーフガラスを通じて開閉可能な開口部が形成されることがある。
【０００３】
特に、最近は、爽快な開放感と優れた審美的デザインのために、車両のルーフパネルの大部分をガラスで製作し、その一部を選択的に開閉する方式のパノラマサンルーフが多く使用されている。
【０００４】
このようなパノラマサンルーフにより、搭乗者は車両の走行時または停車時に自然の太陽光をより多く受けることができるようになり、車両の走行中にパノラマサンルーフを開放して爽快な走行感を感じることができるようになった。
【０００５】
一般的に、パノラマサンルーフの前方には、サンルーフガラスを開放した状態で車両を走行するときに、走行風が開口部を通じて車両の内部に流入しないように走行風の方向を上に上げる役割をするサンルーフデフレクタが設置される。
【０００６】
このようなサンルーフデフレクタは、デフレクタアームを別途の電動装置を使用してチルト−アップ（ｔｉｌｔ−ｕｐ）作動させる方式や、サンルーフガラスの開放と共にデフレクタアームの圧縮を解除しながらデフレクタスプリングの弾性力を利用してデフレクタアームをチルト−アップ作動させる方式によって作動する。
【０００７】
図１は、一般的な車両のサンルーフデフレクタを示した断面図である。
図１に示すように、従来のサンルーフデフレクタは、車両の天井部に配置されたデフレクタベース１に一端が回動可能なように結合し、他端がデフレクタ布３と連結するデフレクタアーム２、および前記デフレクタベース１とデフレクタアーム２の間に設置され、デフレクタアーム２に弾性力を提供するデフレクタスプリング４で構成される。
【０００８】
車両のサンルーフガラスを開放するとき、前記デフレクタスプリング４の弾性力によってデフレクタアーム２は上昇し、このとき、デフレクタアーム２と連結するデフレクタ布３が開口部５の前方を塞ぐことにより、走行風が車両の内部に流入することを防ぐようになる。
【０００９】
また、車両のサンルーフガラスを閉鎖するとき、前記デフレクタアーム２は、サンルーフガラス（図示せず）に結合するコマンドシュ（図示せず）によって押されながら下降し、これによってデフレクタアーム２と連結するデフレクタ布３が収納される。
【００１０】
しかし、図１に示すように、従来のサンルーフデフレクタは、車両の高速走行時にデフレクタ布３に過多な空気抵抗が発生することにより、デフレクタアーム２が全体的に下降しながら風音が発生するという問題がある。
【００１１】
また、これを改善するために、デフレクタスプリング４の剛性を増大させることによってデフレクタアームの高さが下降することを減少させることはできるが、デフレクタスプリングの剛性を増大させるときには、デフレクタスプリングの作動耐久寿命が低下し、サンルーフガラスの閉鎖負荷の増加による誤反転現象（サンルーフガラスが物体の挟まりを判断し間違えて反転する現象）が発生するという問題がある。
【００１２】
このような誤反転現象を改善するためには、モータセーフティ値（サンルーフガラスの閉鎖時、物体が挟まったときに反転させる基準値）を増大させて対応することもできるが、これにはセーフティ機能の敏感度を低下させるという問題がある。
【発明の概要】
【発明が解決しようとする課題】
【００１３】
本発明は、上述した従来技術の問題点を解決するために案出されたものであって、サンルーフガラスの開放時に空気抵抗によってデフレクタアームの高さが下がることを防ぎ、風音の性能が向上したサンルーフデフレクタの支持構造を提供することを目的とする。
【００１４】
また、本発明は、デフレクタスプリングの剛性を最小化することにより、デフレクタスプリングの耐久性能の増大、サンルーフガラスの誤反転可能性の減少、およびセーフティ機能の敏感度を向上させることができるサンルーフデフレクタの支持構造を提供することを他の目的とする。
【００１５】
本発明が解決しようとする技術的課題は、上述した技術的課題に制限されるものではなく、言及されていないさらに他の技術的課題は、本発明の記載から当該分野において通常の知識を有する者によって明確に理解されるであろう。
【課題を解決するための手段】
【００１６】
上述したような目的を達成するために、本発明の一実施形態によるサンルーフデフレクタの支持構造は、車両の天井部に配置されたデフレクタベースに一端が回動可能なように結合し、他端がデフレクタ布と連結するデフレクタアーム、前記デフレクタベースとデフレクタアームの間に設置され、デフレクタアームに弾性力を提供するデフレクタスプリング、および前記デフレクタアームにヒンジピンを介して回動可能なように結合し、前端に環部が形成されるロッキングレバーを備え、車両のサンルーフガラスの開放時に、前記ロッキングレバーの環部がデフレクタスプリングの端部に掛かることによってデフレクタアームの下降を防ぐことを特徴とする。
【００１７】
また、本発明の一実施形態によるサンルーフデフレクタの支持構造は、一端が前記デフレクタアームに結合し、他端がロッキングレバーに結合するヒンジスプリングをさらに備え、前記ヒンジスプリングは、ロッキングレバーをデフレクタスプリング方向に加圧することが好ましい。
【００１８】
なお、本発明の一実施形態によるサンルーフデフレクタの支持構造において、前記ロッキングレバーは、前記ヒンジピンが貫通結合するヒンジホールを基準として後方を上側に湾曲させて湾曲部を形成し、車両のサンルーフガラスの閉鎖時に、前記ロッキングレバーの湾曲部がサンルーフガラスと結合したコマンドシュによって押されることによってロッキングレバーとデフレクタスプリングの係止が解除されることが好ましい。
【００１９】
さらに、本発明の一実施形態によるサンルーフデフレクタの支持構造において、前記デフレクタスプリングは、前記デフレクタベースに形成された多数の結合突起に挿入されるように形成された挿入部、前記挿入部から上側に湾曲延長した中央部、および前記中央部から水平方向に延長し、ロッキングレバーの環部に掛かるように形成された係止部を備えることが好ましい。
【００２０】
本発明の他の実施形態によるサンルーフデフレクタの支持構造は、車両の天井部に配置されたデフレクタベースに一端が回動可能なように結合し、他端がデフレクタ布と連結するデフレクタアーム、前記デフレクタベースとデフレクタアームの間に設置され、デフレクタアームに弾性力を提供するデフレクタスプリング、前記デフレクタアームにヒンジピンを介して回動可能なように結合し、前端に環部が形成されたロッキングレバー、および一端が前記デフレクタベースに回動可能なように結合し、他端が選択的にロッキングレバーの環部に掛かる支持レバーを備え、車両のサンルーフガラスの開放時に、前記ロッキングレバーの環部が支持レバーの端部に掛かることによってデフレクタアームの下降を防ぐことを特徴とする。
【００２１】
また、本発明の他の実施形態によるサンルーフデフレクタの支持構造において、前記支持レバーは、前記デフレクタスプリングの端部が挿入されてスライディングできるように長さ方向に形成されたスロットを備え、前記デフレクタスプリングの端部がスロット上でスライディングすることによってレバーがロッキングレバー方向に回転することが好ましい。
【００２２】
なお、本発明の他の実施形態によるサンルーフデフレクタの支持構造は、一端が前記デフレクタアームに結合し、他端がロッキングレバーに結合するヒンジスプリングをさらに備え、前記ヒンジスプリングは、ロッキングレバーを支持レバー方向に加圧することが好ましい。
【００２３】
さらに、本発明の他の実施形態によるサンルーフデフレクタの支持構造において、前記ロッキングレバーは、前記ヒンジピンが貫通結合するヒンジホールを基準として後方を上側に湾曲させて湾曲部を形成し、車両のサンルーフガラスの閉鎖時に、前記ロッキングレバーの湾曲部がサンルーフガラスと結合するコマンドシュによって押されることによってロッキングレバーと支持レバーの係止が解除されることが好ましい。
【発明の効果】
【００２４】
上述したような構成をもつ本発明は、車両のサンルーフガラスの開放時に、ロッキングレバーの環部がデフレクタスプリングの前端または支持レバーの前端に掛かるようにすることにより、車両の高速走行時に空気抵抗によるデフレクタアームの下降を防ぐことができ、車両の風音性能の向上させる効果がある。
【００２５】
また、本発明は、このようなデフレクタアームの下降防止構造によってデフレクタスプリングの剛性を最小化することができ、これによってデフレクタスプリングの作動耐久寿命を向上させる効果がある。
【００２６】
なお、デフレクタスプリングの剛性を最小化することにより、サンルーフガラスの閉鎖時に閉鎖負荷が減少することによってサンルーフガラスが誤反転する可能性が著しく減少し、サンルーフガラスのセーフティ機能の敏感度を増大させることができる長所がある。
【００２７】
さらに、本発明は、ヒンジスプリング、ロッキングレバー、および支持レバーからなる比較的簡単な構造によってデフレクタアームの支持構造を実現することにより、生産原価および作業工数が大きく増大しない上に風音は減少させることができ、車両の商品性を向上させる効果がある。
【図面の簡単な説明】
【００２８】
【図１】一般的な車両のサンルーフデフレクタを示した断面図である。
【図２】本発明の一実施形態によるサンルーフデフレクタの支持構造を示した断面図である。
【図３】本発明の一実施形態によるサンルーフデフレクタの支持構造の各部品を展開した様子を示した分解図である。
【図４】本発明の一実施形態によるサンルーフデフレクタの支持構造が組み立てられた様子を示した投影斜視図である。
【図５ａ】図５ａは、図４に示されたサンルーフデフレクタ構造のＡ部分を示した拡大図である。
【図５ｂ】図５ｂは、図４に示されたサンルーフデフレクタ構造をＢ方向から眺めた様子を示した拡大図である。
【図６】本発明の一実施形態によるサンルーフデフレクタの支持構造の作動過程を概略的に示した断面図である。
【図７】本発明の他の実施形態によるサンルーフデフレクタの支持構造を示した断面図である。
【図８】本発明の他の実施形態によるサンルーフデフレクタの支持構造の作動過程を概略的に示した断面図である。
【発明を実施するための形態】
【００２９】
以下、添付の図面を参照しながら、本発明について、本発明が属する技術分野において通常の知識を有する者が容易に実施できるように詳しく説明する。しかし、本発明は多様に相違した形態で実現されてもよく、ここで説明する実施形態に限定されることはない。
【００３０】
本発明を明確に説明するために説明と関係のない部分は省略し、明細書全体に渡って同一または類似する構成要素には同じ参照符号を付与した。
【００３１】
また、本明細書および特許請求の範囲で使用されている用語や単語は、通常的あるいは辞書的な意味に限定して解釈されてはならず、発明者は自身の発明を最善の方法で説明するために用語の概念を適切に定義できるという原則に立脚した上で、本発明の技術的思想に符合する意味や概念として解釈されなければならない。
【００３２】
図２は、本発明の一実施形態によるサンルーフデフレクタの支持構造を示した断面図であり、図３は、本発明の一実施形態によるサンルーフデフレクタの支持構造の各部品を展開した様子を示した分解図であり、図４は、本発明の一実施形態によるサンルーフデフレクタの支持構造が組み立てられた様子を示した投影斜視図であり、図５ａは、図４に示されたサンルーフデフレクタ構造のＡ部分を示した拡大図であり、図５ｂは、図４に示されたサンルーフデフレクタ構造をＢ方向から眺めた様子を示した拡大図である。
【００３３】
図２〜図５ｂに示すように、本発明の一実施形態によるサンルーフデフレクタの支持構造は、車両の天井部に配置されたデフレクタベース２０に一端が回動可能なように結合し、他端がデフレクタ布３４と連結するデフレクタアーム３０、前記デフレクタベース２０とデフレクタアーム３０の間に設置され、デフレクタアーム３０に弾性力を提供するデフレクタスプリング４０、および前記デフレクタアーム３０にヒンジピン６２を介して回動可能なように結合し、前端に環部５２が形成されるロッキングレバー５０を備えることを特徴とする。
【００３４】
図に示す実施形態のように、車両の天井部には、前後方向に移動するサンルーフガラス（図６（ａ）〜（ｄ）の符号１０）を通じて開閉する開口部１４が形成され、車両内部を換気して搭乗者に開放感を提供する役割をする。
【００３５】
前記サンルーフガラス１０は、モータ（図示せず）のような駆動装置を利用して車両の前後方向にスライドする方式、または車両の上下方向にチルト−アップする方式などの多様な方式によって開口部１４を開閉してもよいが、本発明の実施形態によるサンルーフデフレクタ支持構造では、車両の前後方向にスライドする方式を基準として説明する。
【００３６】
通常、このようなサンルーフガラス１０は、紫外線および赤外線を効果的に遮断することができる素材で形成され、具体的には、透明ガラス、不透明ガラス、または合成樹脂などで形成される。
【００３７】
図２に示すように、車両の天井部に形成された開口部１４の左右両側には、車両の前後方向に沿ってデフレクタベース２０が配置され、前記デフレクタベース２０には、デフレクタアーム３０およびデフレクタスプリング４０が結合する。
【００３８】
前記デフレクタアーム３０は、その一端（図に示す実施形態において右側終端）はデフレクタベース２０とヒンジ結合して上下に回動可能であり、その他端（図に示す実施形態において左側終端）はデフレクタ布３４と連結している。
【００３９】
このようなデフレクタアーム３０の上下回動は、別途の電動装置（図示せず）と連結してチルト−アップする方式、またはサンルーフガラスの開放と共にデフレクタスプリングの弾性力によってチルト−アップする方式などによってなされるが、本発明の実施形態によるサンルーフデフレクタの支持構造では、デフレクタスプリング４０を利用した方式を基準として説明する。
【００４０】
通常、前記デフレクタスプリング４０は、一側脚は固定されて反対側脚は回転しながら発生する荷重を利用したトーションスプリングが主に使用されるが、本発明の一実施形態によるサンルーフデフレクタ支持構造では、後述するように特殊に形成された板スプリングが使用される。
【００４１】
図３に示すように、前記デフレクタアーム３０には長さ方向に所定の大きさを有する空間部３２が形成され、このような空間部３２の内部にロッキングレバー５０がヒンジピン６２を介して上下に回動可能なように結合する。
【００４２】
前記ロッキングレバー５０の前端には、下側に延長したフック（ｈｏｏｋ）形態の環部５２が形成され、前記環部５２は、図５ａに示すように、サンルーフガラスの開放時にデフレクタスプリング４０の前端に掛かるようになる。
【００４３】
図３に示すように、前記デフレクタスプリング４０は、デフレクタベース２０に形成された多数の結合突起２２に挿入されるように形成された挿入部４２、前記挿入部４２から上側に湾曲延長した中央部４４、および前記中央部４４から水平方向に延長してロッキングレバー５０の環部５２に掛かるように形成された係止部４６を備え、全体的に「Ｓ」字形態で形成される。
【００４４】
前記デフレクタスプリング４０の形状は、本発明の一実施形態によるサンルーフデフレクタの支持構造をさらに効率的に実現するための形状であり、デフレクタスプリング４０がこのような形状を採択することにより、デフレクタアーム３０をさらに強健に支持する。
【００４５】
前記デフレクタアーム３０の空間部３２には、トーションスプリング形態に形成されたヒンジスプリング６０がさらに結合してロッキングレバー５０に弾性力を提供してもよく、前記ヒンジスプリング６０は、一端はデフレクタアーム３０に結合し、他端はロッキングレバー５０に結合し、中心はヒンジピン６２によって貫通結合する。
【００４６】
図５ｂに示すように、前記ヒンジスプリング６０は、ロッキングレバー５０を常にデフレクタスプリング４０方向（図に示す実施形態において反時計方向）に加圧する役割をし、このようなヒンジスプリング６０により、ロッキングレバー５０の環部５２は常にデフレクタスプリング４０にかかろうとする傾向を保つ。
【００４７】
図３に示すように、前記ロッキングレバー５０は、ヒンジホール５４を基準として後方を上側に湾曲させて湾曲部５６を形成しており、サンルーフガラスの閉鎖時に、このような湾曲部５６はサンルーフガラスと結合するコマンドシュ（図６（ａ）〜（ｄ）の符号１２）によって押されるようになり、ロッキングレバー５０とデフレクタスプリング４０の係止が解除される。
【００４８】
本発明の一実施形態によるサンルーフデフレクタの支持構造の作動過程を詳察すると、以下のとおりである。
【００４９】
図６（ａ）〜（ｄ）は、本発明の一実施形態によるサンルーフデフレクタの支持構造の作動過程を概略的に示した断面図である。
図６（ａ）に示すように、車両のサンルーフガラス１０が開放した状態において、前記ロッキングレバー５０の環部５２はデフレクタスプリング４０に掛かっており、デフレクタアーム３０はデフレクタスプリング４０によって支持される。
【００５０】
図６（ｂ）に示すように、サンルーフガラス１０が徐々に前進しながら、サンルーフガラス１０と結合するコマンドシュ１２はロッキングレバー５０の湾曲部５６を押すようになり、これによってロッキングレバー５０は時計方向に回転し、ロッキングレバー５０の環部５２とデフレクタスプリング４０の係止は解除される。
【００５１】
図６（ｃ）に示すように、ロッキングレバー５０とデフレクタスプリングの係止が解除された状態で、サンルーフガラス１０がさらに前進しながらコマンドシュ１２はデフレクタアーム３０を押すようになり、これによってデフレクタアーム３０は徐々に下降するようになる。
【００５２】
図６（ｄ）に示すように、サンルーフガラス１０が車両の開口部１４の大部分を閉鎖する程度まで前方移動すると、デフレクタアーム３０は完全に下降してデフレクタ布３４は収納され、このとき、ロッキングレバー５０はヒンジスプリング６０によって反時計方向に回転し、最初の状態に復帰するようになる。
【００５３】
図７は、本発明の他の実施形態によるサンルーフデフレクタの支持構造を示した断面図である。
【００５４】
図７に示すように、本発明の他の実施形態によるサンルーフデフレクタの支持構造は、車両の天井部に配置されたデフレクタベース２０に一端が回動可能なように結合し、他端がデフレクタ布３４と連結するデフレクタアーム３０、前記デフレクタベース２０とデフレクタアーム３０の間に設置され、デフレクタアーム３０に弾性力を提供するデフレクタスプリング４０、前記デフレクタアーム３０にヒンジピン６２を介して回動可能なように結合され、前端に環部５２が形成されるロッキングレバー５０、および一端が前記デフレクタベース２０に回動可能なように結合し、他端が選択的にロッキングレバー５０の環部５２に掛かる支持レバー７０を備えることを特徴とする。
【００５５】
前記デフレクタベース２０、デフレクタアーム３０、ロッキングレバー５０、およびヒンジスプリング６０は、上述した本発明の一実施形態によるサンルーフデフレクタの支持構造で使用したものと大部分が同一あるいは類似するように形成される。
【００５６】
ただし、前記デフレクタスプリング４０は、本発明の一実施形態によるサンルーフデフレクタの支持構造で使用したデフレクタスプリングと同じ形態で形成されてもよいが、図に示す実施形態では、支持レバー７０のスロット７２でより適切にスライディングできるようにトーションスプリング形態を採択するものとして説明する。
【００５７】
図７に示すように、前記支持レバー７０は一端（図に示す実施形態において右側終端）が回動可能なように連結した棒形態で形成され、その他端（図に示す実施形態において左側終端）は選択的にロッキングレバー５０の環部５２に掛かるように形成される。
【００５８】
前記支持レバー７０は、本発明の一実施形態において、デフレクタアームが単純にデフレクタスプリング４０によって支持されることを補い、デフレクタアーム３０がより剛健な構造によって支持されるように支援する役割をする。
【００５９】
前記支持レバー７０の内部には、長さ方向に沿ってデフレクタスプリング４０の端部が挿入してスライディングできるようにスロット７２が形成され、前記デフレクタスプリング４０がスライディングすることにより、レバー７０はロッキングレバー５０方向（図に示す実施形態において時計方向）に回転するようになる。
【００６０】
本発明の他の実施形態によるサンルーフデフレクタの支持構造の作動過程を詳察すると、以下のとおりである。
【００６１】
図８（ａ）〜（ｄ）は、本発明の他の実施形態によるサンルーフデフレクタの支持構造の作動過程を概略的に示した断面図である。
【００６２】
図８（ａ）に示すように、車両のサンルーフガラス１０が開放した状態において、前記ロッキングレバー５０の環部５２は支持レバー７０に掛かっており、デフレクタアーム３０は支持レバー７０によって支持される。
【００６３】
図８（ｂ）に示すように、サンルーフガラス１０が徐々に前進しながら、サンルーフガラス１０と結合するコマンドシュ１２はロッキングレバー５０の湾曲部５６を押すようになり、これによってロッキングレバー５０は時計方向に回転し、ロッキングレバー５０の環部５２と支持レバー７０の係止は解除される。
【００６４】
図８（ｃ）に示すように、ロッキングレバー５０と支持レバー７０の係止が解除された状態で、サンルーフガラス１０がさらに前進しながらコマンドシュ１２はデフレクタアーム３０を押すようになり、これによってデフレクタアーム３０は徐々に下降するようになる。
【００６５】
図８（ｄ）に示すように、サンルーフガラス１０が車両の開口部１４の大部分を閉鎖する程度まで前方移動すると、デフレクタアーム３０は完全に下降してデフレクタ布３４は収納され、このとき、ロッキングレバー５０はヒンジスプリング６０によって反時計方向に回転し、最初の状態に復帰するようになる。
【００６６】
上述したように、本発明の一実施形態および他の実施形態によるサンルーフデフレクタの支持構造は、このような構成によって車両の高速走行時に空気抵抗によるデフレクタアーム３０の下降を防ぎ、車両の風音性能を著しく向上させる長所がある。
【００６７】
以上で説明された本発明は、上述した実施形態および添付の図面によって限定されるものではなく、本発明の技術的思想を逸脱しない範囲内で多様な置換、変形、および変更が可能であるということは、本発明が属する技術分野において通常の知識を有する者にとって明白であろう。
【符号の説明】
【００６８】
１０  ・・・サンルーフガラス
１２  ・・・コマンドシュ
１４  ・・・開口部
２０  ・・・デフレクタベース
２２  ・・・結合突起
３０  ・・・デフレクタアーム
３２  ・・・空間部
３４  ・・・デフレクタ布
４０  ・・・デフレクタスプリング
４２  ・・・挿入部
４４  ・・・中央部
４６  ・・・係止部
５０  ・・・ロッキングレバー
５２  ・・・環部
５４  ・・・ヒンジホール
５６  ・・・湾曲部
６０  ・・・ヒンジスプリング
６２  ・・・ヒンジピン
７０  ・・・支持レバー
７２  ・・・スロット
【図１】
0006391452.tif 000002
【図２】
0006391452.tif 000003
【図３】
0006391452.tif 000004
【図４】
0006391452.tif 000005
【図５ａ】
0006391452.tif 000006
【図５ｂ】
0006391452.tif 000007
【図６】
0006391452.tif 000008
【図７】
0006391452.tif 000009
【図８】
0006391452.tif 000010